(57)【特許請求の範囲】
【請求項１】
容器体１の口頸部３外面へ上面閉塞の周壁５を螺合させ、かつ該周壁下端に付設した外向きフランジ６下面から内外二重筒９を垂下し、かつその外筒８の下方後部に切欠部１０を形成したキャップ部材Ａと、
上記内外二重筒９の間隙内へ垂下筒１１上部を嵌合させ、上記切欠部１０内に位置する垂下筒１１上部部分を厚肉部１２として、該厚肉部外面を切欠部１０内へ嵌合させると共に、該厚肉部１２と厚肉部上方の垂下筒１１部分とを識別板１３として、該識別板の左右両側に切離し線１４を縦設すると共に、識別板１３下方の垂下筒１１部分を切除して、識別板１３と該識別板を除く垂下筒１１部分とを、上記切除部１５の左右両端上部と両切離し線１４下端間に設けた破断可能な肉薄片１６で連結し、更に識別板１３を除く垂下筒下部内面から係合板１７を内方突設して、該係合板を上記口頸部３の下部外面に周設した係合突条４下面へ係合させた識別筒Ｂとを有し、
上記厚肉部１２上方の識別板１３部分を内外二重筒９間に固着させ、
上記肉薄片１６の肉厚を、キャップ部材Ａの螺脱方向への回動による識別板１３の上昇で破断可能な値に定めた、
ことを特徴とする不正防止用キャップ。
【請求項２】
上記垂下筒１１に上端開口、かつ下端閉塞の複数の長割溝２０を縦設した、
ことを特徴とする請求項１記載の不正防止用キャップ。
【請求項３】
容器体１の口頸部３外面へ上面閉塞の周壁３０を螺合させて、該周壁下端に複数開口の外向きフランジ状壁３１を付設し、かつ該外向きフランジ状壁外周から外筒３２を垂設したキャップ部材Ｃと、
上記外筒３２下部内面へ垂下筒３６上部外面を嵌合させ、かつ該垂下筒上端部から複数の起立板３７を起立して、これら起立板を上記開口３５へ抜出し不能に挿通させて、その起立板上部を開口上面から露出させると共に、垂下筒下部内面から係合板３９を内方突設して、該係合板先端部を上記口頸部３の下部外面に周設した係合突条４下面へ近接または摺接させた識別筒Ｄとを有し、
上記識別筒は、起立板３７と係合板３９との間の垂下筒３６部分内面に複数の連結突条４０を、周方向に所定の間隔をおいて縦設し、かつ該連結突条を除く連結突条上下両端間の垂下筒３６部分を、軸線との交差平面で上下に切断して、両切断面間に細隙４１を設けることにより、該細隙上方の垂下筒３６部分と起立板３７とを識別部４２に形成し、
上記連結突条４０の横断面積を、キャップ部材Ｃの螺脱方向への回動による識別部４２の上昇で破断可能な値に定めた、
ことを特徴とする不正防止用キャップ。
【請求項４】
上記外向きフランジ状壁３１内周から、内筒３４を外筒３２よりも短く垂設して、上記起立板３７を内外両筒間へ抜出し不能に挿通させ、更に上記細隙４１下方の垂下筒３６部分に切離しスリット４３を、細隙４１に開口させて縦設した、
ことを特徴とする請求項３記載の不正防止用キャップ。
【発明の詳細な説明】
【０００１】
【発明の属する技術分野】
本発明は無断開口を防止するための不正防止用キャップに関する。
【０００２】
【従来の技術】
例えば、特開平１０−２１１９５２号が示すように、胴部上端から肩部を介して口頸部を起立すると共に、胴部上端外面に凹凸を上下に連続する第１係合状を周設した容器体と、口頸部上端口部を閉塞するキャップと、キャップを覆合して周壁下端から下外方へ拡開突設した複数の弾性片下端を容器体の肩部上面へ載置した有頂カバー筒と、第１係合条に抜出し不能に嵌合させた第２係合条を筒部内面に有し、筒部上端から内方へ突設した内方張出し筒部内端を、カバー筒の下端外面へ当接させた封止筒とを有するバージンシール付き容器が知られている。
【０００３】
【発明が解決しようとする課題】
上記公知例では、カバー筒は下外方へ拡開した弾性片を有するため、カバー筒を一旦容器体から取り外した後は、これを再度容器体へ装着させることは不可能であり、従って、無断開口の事実を隠すことは困難である。
しかし、一方において無断開口防止手段が設けられているか否かを容器体外部から識別することが困難な場合があり、このためかかる手段が設けられていないと誤認した場合には、仮に無断開口によりカバー筒が取り外されていても無断開口の事実を看過することがあり、無断開口を有効に防止することができなかった。
【０００４】
請求項１記載及び請求項３記載の不正防止用キャップは、キャップ部材の切欠部又は開口部に垂下筒の一部を形成する識別板又は識別部を嵌合させて、これを外部から視認可能にしておき、開口後においても、識別板又は識別部が垂下筒から分離して切欠部又は開口部内に残存するようにして、無断開口防止手段の有無を外部から識別可能とするものである。
【０００５】
請求項２記載の不正防止用キャップは、垂下筒に長割溝を設けることにより、垂下筒の弾性変形を大にして、開口時における識別板の分離破断を一層容易にしようとするものである。
【０００６】
請求項４記載の不正防止用キャップは、内筒を設けて識別部の嵌合固定をより強固にすると共に、切離しスリットを設けて垂下筒を展開可能にして容器体からの除去を容易にしようとするものである。
【０００７】
【課題を解決するための手段】
第１の手段として、容器体１の口頸部３外面へ上面閉塞の周壁５を螺合させ、かつ該周壁下端に付設した外向きフランジ６下面から内外二重筒９を垂下し、かつその外筒８の下方後部に切欠部１０を形成したキャップ部材Ａと、
上記内外二重筒９の間隙内へ垂下筒１１上部を嵌合させ、上記切欠部１０内に位置する垂下筒１１上部部分を厚肉部１２として、該厚肉部外面を切欠部１０内へ嵌合させると共に、該厚肉部１２と厚肉部上方の垂下筒１１部分とを識別板１３として、該識別板の左右両側に切離し線１４を縦設すると共に、識別板１３下方の垂下筒１１部分を切除して、識別板１３と該識別板を除く垂下筒１１部分とを、上記切除部１５の左右両端上部と両切離し線１４下端間に設けた破断可能な肉薄片１６で連結し、更に識別板１３を除く垂下筒下部内面から係合板１７を内方突設して、該係合板を上記口頸部３の下部外面に周設した係合突条４下面へ係合させた識別筒Ｂとを有し、
上記厚肉部１２上方の識別板１３部分を内外二重筒９間に固着させ、
上記肉薄片１６の肉厚を、キャップ部材Ａの螺脱方向への回動による識別板１３の上昇で破断可能な値に定めた。
【０００８】
第２の手段として、上記第１の手段を有すると共に、上記垂下筒１１に上端開口、かつ下端閉塞の複数の長割溝２０を縦設した。
【０００９】
第３の手段として、容器体１の口頸部３外面へ上面閉塞の周壁３０を螺合させて、該周壁下端に複数開口の外向きフランジ状壁３１を付設し、かつ該外向きフランジ状壁外周から外筒３２を垂設したキャップ部材Ｃと、
上記外筒３２下部内面へ垂下筒３６上部外面を嵌合させ、かつ該垂下筒上端部から複数の起立板３７を起立して、これら起立板を上記開口３５へ抜出し不能に挿通させて、その起立板上部を開口上面から露出させると共に、垂下筒下部内面から係合板３９を内方突設して、該係合板先端部を上記口頸部３の下部外面に周設した係合突条４下面へ近接または摺接させた識別筒Ｄとを有し、
上記識別筒は、起立板３７と係合板３９との間の垂下筒３６部分内面に複数の連結突条４０を、周方向に所定の間隔をおいて縦設し、かつ該連結突条を除く連結突条上下両端間の垂下筒３６部分を、軸線との交差平面で上下に切断して、両切断面間に細隙４１を設けることにより、該細隙上方の垂下筒３６部分と起立板３７とを識別部４２に形成し、
上記連結突条４０の横断面積を、キャップ部材Ｃの螺脱方向への回動による識別部４２の上昇で破断可能な値に定めた。
【００１０】
第４の手段として、上記第３の手段を有すると共に、上記外向きフランジ状壁３１内周から、内筒３４を外筒３２よりも短く垂設して、上記起立板３７を内外両筒間へ抜出し不能に挿通させ、更に上記細隙４１下方の垂下筒３６部分に切離しスリット４３を、細隙４１に開口させて縦設した。
【００１１】
【発明の実施の形態】
以下、本発明に係る不正防止用キャップを図面に示す実施形態を参照しながら説明する。
図１乃至図４は本発明に係る不正防止用キャップの第１の実施形態を示す。
まず、不正防止用キャップを装着する容器体の一例について説明すると、容器体１は胴部２の上端部から肩部を介して口頸部３を起立し、該口頸部の上部外面に雄ねじを形成すると共に、下部外面に係合突条４を周設する。
【００１２】
Ａはキャップ部材で、容器体１の口頸部３の雄ねじへ、有頂の周壁５内面に形成した雌ねじを螺合させる。周壁５下端から外向きフランジ６を突設して、該外向きフランジ下面から内外筒７、８で形成した内外二重筒９を垂下し、かつその外筒８の後部（図１において右部）の下部に矩形状の切欠部１０を形成する。
【００１３】
Ｂは識別筒で、内外二重筒９の間隙内へ垂下筒１１上部を回動可能に嵌合させ、切欠部１０内に位置する垂下筒１１の上部部分を厚肉部１２として、該厚肉部外面を切欠部１０内へ嵌合させる。
そして、厚肉部１２と厚肉部上方の垂下筒部分とを識別板１３として、図４に明示するように該識別板の左右両側に切離し線１４を縦設する。
【００１４】
識別板１３下方の垂下筒部分を、識別板１３よりも周方向にやや長く切除して、識別板１３と該識別板両側の垂下筒部分とを、切除部１５の左右両端上縁と両切離し線１４下端との間に設けた破断可能な肉薄片１６で連結する。
識別板１３を除く垂下筒１１の下部内面から係合板１７を上内方へ突設して、該係合板上端を口頸部３の係合突条４下面へ係合させる。
【００１５】
内外二重筒９から下方突出する垂下筒１１下部外面を上向き段部１８を介して大外径部に形成して、上向き段部１８上面を外筒８下端へ当接させる。
一方、内外二重筒９の間隙内へ嵌合させた厚肉部１２上方の識別板１３部分外面の上部に周方向への嵌合突条１９を形成すると共に、該嵌合突条後方の外筒８部分前面に嵌合凹溝を形成して、この嵌合凹溝内へ嵌合突条１９を嵌着させる。
【００１６】
これら嵌合突条１９と嵌合凹溝とは、識別板１３を内外二重筒９間へ固着させるためのものであるが、この固着手段としてはこれに限らず、厚肉部１２上方の識別板１３部分上端を外向きフランジ６下面へ超音波により接着させてもよい。なお、請求項２記載のように、識別板１３を除く垂下筒１１部分に、上端開口、かつ下端閉塞で、垂下筒１１下端部に達する長さの長割溝２０を複数縦設する。
図中、４５は口頸部３上面とキャップ部材下面との間に設けたパッキンである。
【００１７】
次に本実施形態の作用について説明する。
図１は一度も開口されてない状態を示すもので、この状態からキャップ部材Ａを開方向へ回動させると、口頸部３へ螺合させた周壁５が上昇を始める。すると厚肉部１２上方の識別板１３部分が内外二重筒９間へ固着されているため、識別板１３も上昇を始める。
【００１８】
一方、識別板１３を除いた垂下筒１１部分は、係合板１７が口頸部３の係合突条４へ係合しているため上昇することができず、このため肉薄片１６が破断して識別板１３がこれを除く垂下筒１１部分から分離すると共に、垂下筒１１上部が内外二重筒９から抜け出る。
図４はキャップ部材Ａが口頸部３から螺脱した状態を示すもので、識別板１３の厚肉部１２は切欠部１０内へ嵌合して残存し、他方、識別板１３を除く垂下筒１１部分は内外二重筒９から抜け出て胴部２の肩部上面へ係合する。
【００１９】
図５乃至図７は本発明に係る不正防止用キャップの第２の実施形態を示す。
Ｃはキャップ部材で、容器体１の口頸部３外面へ有頂の周壁３０を螺合させて、該周壁下端から外向きフランジ状壁３１を突設する。
外向きフランジ状壁３１外周から外筒３２を垂設して、該外筒の上部内面に第１突条部３３を周設し、さらに請求項４記載のように外向きフランジ状壁３１内周から内筒３４を外筒３２よりも短く垂設して、これら内外両筒間の外向きフランジ状壁３１部分に４つの開口部３５を周方向に等間隔をおいて形成する。
【００２０】
Ｄは識別筒で、外筒３２下部内面へ垂下筒３６上部外面を嵌合させ、かつ該垂下筒上端から４つの起立板３７を起立して、該起立板上部外面に第２突条部３８を形成し、これら起立板３７を内筒３４と外筒３２との間隙へ挿通させて、第２突条部３８下面を第１突条部３３上面へ係合させ、かつその起立板上端部を開口部３５上面から露出させる。
【００２１】
垂下筒３６の下部内面から複数の係合板３９を周方向に所定の間隔をおいて上内方へ突設し、これら係合板先端部を口頸部３の下部外面に周設した係合突条４下面へ図示例のように近接させるか、又は摺接させる。
垂下筒３６の上下方向中間部内面に係合板３９と同数の連結突条４０を、周方向に所定の間隔をおいて縦設して、これら連結突条下端部を係合板３９の下端部上面へ連続させる。
【００２２】
連結突条４０の上下両端間の垂下筒３６部分を、軸線と直交する平面で上下に切断して、両切断面間に細隙４１を設けることにより細隙４１上方の垂下筒３６部分と起立板３７とを識別部４２に形成する。
細隙４１は、図５に示すように、上下両面間の間隔を一定に形成した横断面長方形状でもよく、或いは図７に示すように、内方の間隔を外方の間隔よりも小に形成した横断面台形状でもよい。
なお、請求項４記載のように、細隙４１下方の垂下筒３６部分に、少なくとも１つの切離しスリット４３を、細隙４１に開口させて縦設する。
また、細隙４１下方の垂下筒３６部分下部外面を、上向き段部４４を介して大外径部に形成して、上向き段部４４上面を外筒３２下端へ当接させる。
【００２３】
次に、本実施形態の作用について説明する。
第２突条部３８が第１突条部３３へ係合し、一方、係合板３９が係合突条４へ係合しているため、キャップ部材Ｃを螺脱方向へ回動させると、各識別部４２は周壁３０と共に上昇するのに対し、細隙４１下方の垂下筒３６部分は上昇できず、このため連結突条４０が破断して、識別部４２が開口部３５内に残存する一方、細隙４１下方の垂下筒３６部分は外筒３２から抜け出して、容器体１肩部上へ係合する。
なお、切離しスリット４３の間隔を広げて垂下筒３６部分を拡開させることにより、細隙４１下方の垂下筒３６部分を容器体１から離脱させることができる。
【００２４】
【発明の効果】
請求項１及び３記載の不正防止用キャップは、キャップ部材の切欠部又は開口部へ垂下筒の一部を形成する識別板又は識別部を外部から視認可能に嵌合させると共に、識別板又は識別部を除く垂下筒部分から係合板を突設して、これらを口頸部の係合突条へ係合させたので、開口前において無断開口手段の有無を認識しうることは勿論のこと、キャップ部材の螺脱による開口後においても、識別板又は識別部がこれらを除く垂下筒部分から分離して切欠部又は開口部内に残存するため、無断開口防止手段の有無を外部から認識することができ、従って、無断開口の事実が看過されるというようなことがない。
【００２５】
請求項２記載の不正防止用キャップは、垂下筒に長割溝を設けたので、キャップ部材の回動時において、垂下筒の周方向への弾性変形を大にすることができ、このため開口時における識別板の分離破断が一層容易になる。
【００２６】
請求項４記載の不正防止用キャップは、内筒を設けて、起立板を内外両筒間へ嵌合させるため、起立板が開口部から容易に抜け出ることがない。
また、切離しスリットを設けたので、このスリットを広げて垂下筒部分を展開することができ、このため識別部以外の垂下筒部分を容器体から容易に離脱させることができる。
【図面の簡単な説明】
【図１】本発明に係る不正防止用キャップの第１の実施形態を示す断面図。
【図２】同じく、背面図。
【図３】同じく、キャップ部材から識別筒を取り外した状態を示す分解図。
【図４】同じく、キャップ部材を口頸部から螺脱させた状態を示す背面図。
【図５】本発明に係る不正防止用キャップの第２の実施形態を示すもので、後半部を示す断面図。
【図６】同じく、識別筒の斜視図。
【図７】同じく、識別筒の細隙の変形例を示す図５相当図。
【符号の説明】
１  容器体
３  口頸部
４  係合突条
５、３０  周壁
６、３１  外向きフランジ
７、３４  内筒
８、３２  外筒
９  内外二重筒
１０  切欠部
１１、３６  垂下筒
１２  厚肉部
１３  識別板
１４  切離し線
１５  切除部
１６  肉薄片
１７、３９  係合板
２０  長割溝
３５  開口部
３７  起立板
４０  連結突条
４１  細隙
４２  識別部
４３  切離しスリット
Ａ、Ｃ  キャップ部材
Ｂ、Ｄ  識別筒
【図１】
0003670146.tif 000002
【図２】
0003670146.tif 000003
【図３】
0003670146.tif 000004
【図４】
0003670146.tif 000005
【図５】
0003670146.tif 000006
【図６】
0003670146.tif 000007
【図７】
0003670146.tif 000008